(57)【要約】【課題】本発明の目的は、玄関庇部分をユニット化して出荷することにより、現場での施工工数を削減し、工期短縮を図ることが可能な玄関庇ユニット及び玄関庇ユニット組立て方法、並びに玄関庇ユニットを使用した玄関庇施工方法を提供することにある。【解決手段】玄関先に設置される玄関庇ユニットＳに関する。  玄関庇ユニットＳは、玄関上部を被覆する庇本体部１と、この庇本体部１から上部方向に立ち上がる躯体接続部２とを有して構成されており、躯体接続部２は、庇本体部１の後方側に接続されており、建物の躯体側に取付けられる。【選択図】図１
2012036607.tif 000002
【特許請求の範囲】
【請求項１】
玄関先に設置される玄関庇ユニットであって、
該玄関庇ユニットは、前記玄関上部を被覆する庇本体部と、該庇本体部から上部方向に立ち上がる躯体接続部とを有して構成されており、
前記躯体接続部は、前記庇本体部の後方側に接続されており、建物の躯体側に取付けられることを特徴とする玄関庇ユニット。
【請求項２】
前記庇本体部は、略矩形状に組まれた庇骨組を有して構成されており、
前記躯体接続部は、前記躯体に取付けられる筐体部と、該筐体部と前記庇骨組の後方側とを接続する連結部と、を有して構成されており、
前記筐体部は、４枚の鋼板により断面略矩形の筒状に組立てられた筐体であることを特徴とする請求項１に記載の玄関庇ユニット。
【請求項３】
前記庇骨組は、前面に配設される前面横枠と、該前面横枠と相対向して配設される後面横枠と、前記前面横枠と前記後面横枠の両端部を各々架橋する２個の縦枠と、を備え、
前記後面横枠の前記縦枠側端部には、連結部が上方へ突出するように固定されるとともに、前記固定金物には、前記筐体部が固定されていることを特徴とする請求項２に記載の玄関庇ユニット。
【請求項４】
前記筐体部は、前面側及び後面側に相対向して平行に配設される前面壁及び後面壁と、前記前面壁及び前記後面壁の端部を架橋する２個の側壁とを有する断面略矩形の筒状に組立てられた筐体であり、
前記前面壁及び前記後面壁は、前記前面横枠及び前記後面横枠と略平行に配設されるとともに、前記後面壁の両端部は、前記連結部を介して、前記後面横枠両端部と各々連結されていることを特徴とする請求項３に記載の玄関庇ユニット。
【請求項５】
玄関先に設置される玄関庇ユニットの組立て方法であって、
前記玄関庇ユニットは、前記玄関上部を被覆する庇本体部と、該庇本体部から上部方向に立ち上がる躯体接続部とを有して構成されており、
係止壁と該係止壁の一端部から略垂直に延出する設置壁とを有する略Ｌ字形状の組立治具を使用し、
前記設置壁を接地させ、前記係止壁を上方に起立させた状態で、
前記係止壁の上方自由端部側に前記設置壁が延出する方向へ突出するように形成された庇ユニット固定部へ前記躯体接続部を固定するとともに、前記庇本体部の庇骨組が前記設置壁が延出する方向に延出するように組上げる第１の工程と、
前記係止壁を前記設置壁が延出する方向と反対側に反転させて、前記係止壁の前記設置壁が延出する側と反対側の面を接地させ、前記設置壁を上方に起立させる第２の工程と、
前記庇骨組の裏面側の施工を行う第３の工程と、
を行うことを特徴とする玄関庇ユニット組立て方法。
【請求項６】
玄関先に設置される玄関庇ユニットを使用した玄関庇施工方法であって、
前記玄関庇ユニットは、前記玄関上部を被覆する庇本体部と、該庇本体部から上部方向に立ち上がる躯体接続部とを有して構成されており、
係止壁と該係止壁の一端部から略垂直に延出する設置壁とを有する略Ｌ字形状の組立治具を使用し、
前記設置壁を接地させ、前記係止壁を上方に起立させた状態で、
前記係止壁の上方自由端部側に前記設置壁が延出する方向へ突出するように形成された庇ユニット固定部へ前記躯体接続部を固定するとともに、前記庇本体部の庇骨組が前記設置壁が延出する方向に延出するように組上げる第１の工程と、
前記係止壁を前記設置壁が延出する方向と反対側に反転させて、前記係止壁の前記設置壁が延出する側と反対側の面を接地させ、前記設置壁を上方に起立させる第２の工程と、
前記庇骨組の裏面側の施工を行う第３の工程と、
前記設置壁を前記第２の工程と反対方向に反転させて、前記設置壁を接地させ、前記係止壁を上方に起立させる第４の工程と、
前記組立治具に固定された前記玄関庇ユニットを移動手段に積載し、搬送する第５の工程と、
前記玄関庇ユニットを前記組立治具から開放し、前記躯体接続部を建物躯体に取付ける第６の工程と、
を行うことを特徴とする玄関庇ユニットを使用した玄関庇施工方法。
【発明の詳細な説明】
【技術分野】
【０００１】
本発明は、玄関先に設置される玄関庇ユニット及び玄関庇ユニット組立て方法、並びに玄関庇ユニットを使用した玄関庇施工方法に関し、特に、足場の組立てが不要であり簡易に設置可能な玄関庇ユニット及び玄関庇ユニット組立て方法、並びに玄関庇ユニットを使用した玄関庇施工方法に関するものである。
【背景技術】
【０００２】
一般に、建物の入口となる玄関では、玄関開口部、外壁面、玄関に対するアプローチ等を雨から守るために、玄関前方に広がる開口部分を覆うための庇が、外壁から突出する形状で設置される場合が多い。
このような庇は、建築物が施工される際に、建物本体に固定されたフレー材に庇本体、軒天材を取付けるといった各種作業を経て施工される（例えば、特許文献１参照）。
【０００３】
特許文献１には、玄関庇ユニットの取付け構造が開示されている。
この玄関庇ユニット取付け構造においては、基部側梁部と受け梁部とで構成された庇受け梁を胴差下面に固定し、庇受け梁の自由端部（外側方向端部）側に玄関庇ユニット（庇部分）を固定することにより、建物に玄関庇を取付けるよう構成されている。
この玄関庇ユニット（庇本体部分）は、この玄関庇ユニット内部に配設された庇梁材を、庇受け梁を構成する庇受け梁部の自由端部（外側方向端部）側に固定することにより取付けられる。
このように特許文献１においては、基部側梁部と受け梁部とで構成された庇受け梁を施工し、これに玄関庇ユニット（庇本体部分）を取付ける構造になっている。
【先行技術文献】
【特許文献】
【０００４】
【特許文献１】特開２００４−０１１１２２号公報
【発明の概要】
【発明が解決しようとする課題】
【０００５】
このように、特許文献１等の従来技術においては、庇受け梁を施工し、これに玄関庇ユニット（庇本体部分）を取付ける構造になっている。
しかし、特許文献１の技術においては、建物本体に固定された庇受け梁に玄関庇ユニット（庇本体部分）を取付けるために、外部に足場等の仮設材を組む必要がある。
このような場合、仮設材が取付け作業の邪魔になることがあった。
また、庇本体部分の取付け作業は、常に上向姿勢となるため、作業者への身体的負担も大きい。
更に、脚立等を使用しての取付け作業においては、転落等の可能性もあり、作業性が悪くなるという問題点があった。
【０００６】
本発明の目的は、上記各問題点を解決することにあり、玄関庇部分をユニット化して出荷することにより、現場での施工工数を削減し、工期短縮を図ることが可能な玄関庇ユニット及び玄関庇ユニット組立て方法、並びに玄関庇ユニットを使用した玄関庇施工方法を提供することにある。
更に、本発明の他の目的は、ユニット化することにより、外部に足場等の仮設材を不要とし、作業姿勢の安定を図る等作業員の負担軽減及び作業性の向上を図ることが可能な玄関庇ユニット及び玄関庇ユニット組立て方法、並びに玄関庇ユニットを使用した玄関庇施工方法を提供することにある。
【課題を解決するための手段】
【０００７】
上記課題は、請求項１に係る玄関庇ユニットによれば、玄関先に設置される玄関庇ユニットであって、該玄関庇ユニットは、前記玄関上部を被覆する庇本体部と、該庇本体部から上部方向に立ち上がる躯体接続部とを有して構成されており、前記躯体接続部は、前記庇本体部の後方側に接続されており、建物の躯体側に取付けられることにより解決される。
【０００８】
このように構成されていることにより、躯体接続部を建物の躯体側に取付けるのみで、玄関庇を簡易に施工することができる。
よって、現場での施工工数を削減し、工期短縮を図ることが可能となる。
また、外部に足場等の仮設材を組む必要がなく、常に上向姿勢となる作業を行っていた作業者への身体的負担も軽減される。
更に作業性もまた向上する。
【０００９】
また、具体的には、請求項１に係る玄関庇ユニットにおいて、前記庇本体部は、略矩形状に組まれた庇骨組を有して構成されており、前記躯体接続部は、前記躯体に取付けられる筐体部と、該筐体部と前記庇骨組の後方側とを接続する連結部と、を有して構成されており、前記筐体部は、４枚の鋼板により断面略矩形の筒状に組立てられた筐体であるよう構成されていると好適である。
【００１０】
更に具体的には、請求項２に係る玄関庇ユニットにおいて、前記庇骨組は、前面に配設される前面横枠と、該前面横枠と相対向して配設される後面横枠と、前記前面横枠と前記後面横枠の両端部を各々架橋する２個の縦枠と、を備え、前記後面横枠の前記縦枠側端部には、連結部が上方へ突出するように固定されるとともに、前記固定金物には、前記筐体部が固定されていると好適である。
【００１１】
また、更に具体的には、請求項３に係る玄関庇ユニットにおいて、前記筐体部は、前面側及び後面側に相対向して平行に配設される前面壁及び後面壁と、前記前面壁及び前記後面壁の端部を架橋する２個の側壁とを有する断面略矩形の筒状に組立てられた筐体であり、前記前面壁及び前記後面壁は、前記前面横枠及び前記後面横枠と略平行に配設されるとともに、前記後面壁の両端部は、前記連結部を介して、前記後面横枠両端部と各々連結されていると好適である。
【００１２】
また、上記課題は、請求項５に係る玄関庇ユニット組立て方法によれば、玄関先に設置される玄関庇ユニットの組立て方法であって、前記玄関庇ユニットは、前記玄関上部を被覆する庇本体部と、該庇本体部から上部方向に立ち上がる躯体接続部とを有して構成されており、係止壁と該係止壁の一端部から略垂直に延出する設置壁とを有する略Ｌ字形状の組立治具を使用し、前記設置壁を接地させ、前記係止壁を上方に起立させた状態で、前記係止壁の上方自由端部側に前記設置壁が延出する方向へ突出するように形成された庇ユニット固定部へ前記躯体接続部を固定するとともに、前記庇本体部の庇骨組が前記設置壁が延出する方向に延出するように組上げる第１の工程と、前記係止壁を前記設置壁が延出する方向と反対側に反転させて、前記係止壁の前記設置壁が延出する側と反対側の面を接地させ、前記設置壁を上方に起立させる第２の工程と、前記庇骨組の裏面側の施工を行う第３の工程と、を行うことにより解決される。
【００１３】
このように、本発明によれば、係止壁と設置壁とから構成される組立治具を使用して玄関庇ユニットを組立てることができる。
この係止壁の上方自由端部側には、設置壁が延出する方向へ突出するように形成された庇ユニット固定部が形成されている。
この組立治具は、第１の工程において、設置壁を接地させ、係止壁を上方に起立させた状態で使用される。
そして、庇ユニット固定部へ躯体接続部が固定されるとともに、庇本体部の庇骨組が設置壁が延出する方向に延出するように組上げられる。
この状態で、第２の工程へ移り、係止壁を設置壁が延出する方向と反対側に反転させて、係止壁の設置壁が延出する側と反対側の面を接地させ、設置壁を上方に起立させる。
このように反転させると、庇骨組が上下方向に立上がり、この裏面側が露出する。
よって、第３の工程において、庇骨組の下方側に潜り込んで裏面側の施工を行う必要がなくなる。
例えば、庇骨組の裏面側に軒天板を貼設する場合等は、有効に施工性を向上させることができる。
このように、簡易に裏面側の施工を行うことが可能となる。
【００１４】
また、上記課題は、請求項６に係る玄関庇ユニットを使用した玄関庇施工方法によれば、玄関先に設置される玄関庇ユニットを使用した玄関施工方法であって、前記玄関庇ユニットは、前記玄関上部を被覆する庇本体部と、該庇本体部から上部方向に立ち上がる躯体接続部とを有して構成されており、係止壁と該係止壁の一端部から略垂直に延出する設置壁とを有する略Ｌ字形状の組立治具を使用し、記設置壁を接地させ、前記係止壁を上方に起立させた状態で、前記係止壁の上方自由端部側に前記設置壁が延出する方向へ突出するように形成された庇ユニット固定部へ前記躯体接続部を固定するとともに、前記庇本体部の庇骨組が前記設置壁が延出する方向に延出するように組上げる第１の工程と、前記係止壁を前記設置壁が延出する方向と反対側に反転させて、前記係止壁の前記設置壁が延出する側と反対側の面を接地させ、前記設置壁を上方に起立させる第２の工程と、前記庇骨組の裏面側の施工を行う第３の工程と、前記設置壁を前記第２の工程と反対方向に反転させて、前記設置壁を接地させ、前記係止壁を上方に起立させる第４の工程と、前記組立治具に固定された前記玄関庇ユニットを移動手段に積載し、搬送する第５の工程と、前記玄関庇ユニットを前記組立治具から開放し、前記躯体接続部を建物躯体に取付ける第６の工程と、を行うことにより解決される。
【００１５】
このように本発明においては、組立治具を使用して、上記の通り玄関庇ユニットを組立てる（第１の工程乃至第３の工程）。
そして、第４の工程で、設置壁を第２の工程と反対方向に反転させて、設置壁を接地させ、係止壁を上方に起立させる。
これで、組立治具は第１の工程と同じ状態に戻る。
そして、第５の工程で玄関庇ユニットを組立治具に固定したままの状態で、トラック等の移動手段に積載して搬送する。
このように、玄関庇ユニットは、搬送時には、組立治具に固定されたままである。よって、積載が容易であるとともに、固定されているため、搬送時に破損等の可能性を軽減させることができる。
なお、建物施工現場では、第６の工程に示すように、玄関庇ユニットを組立治具から開放し、躯体接続部を建物躯体に取付けるとよい。
このように、本発明においては、玄関庇ユニットの組立てから建物躯体への取付けまでが、簡易かつ効率良く実施される。
【発明の効果】
【００１６】
本発明に係る玄関庇ユニットによれば、玄関庇部分をユニット化して出荷することにより、現場での施工工数を削減し、工期短縮を図ることができる。
更に、本発明に係る玄関庇ユニットは、ユニット化することにより、外部に足場等の仮設材を不要とし、作業姿勢の安定を図る等作業員の負担軽減及び作業性の向上を図ることができる。
また、組立治具を使用することにより、玄関庇ユニットの組立が容易になるとともに、積載が容易になる。
更に、玄関庇ユニットは、組立治具に固定されたまま搬送できるため、搬送時に玄関庇ユニットが破損すること等を回避することができる。
【図面の簡単な説明】
【００１７】
【図１】本発明の一実施形態に係る玄関庇ユニットを示す斜視図である。
【図２】本発明の一実施形態に係る玄関庇ユニットの骨格を示す側面図である。
【図３】本発明の一実施形態に係る玄関庇ユニットの骨格を示す上面図である。
【図４】図３のＡ−Ａ線断面図である。
【図５】図３のＢ−Ｂ線断面図及びＣ−Ｃ線断面図である。
【図６】本発明の一実施形態に係る第１固定金物を示す４面図である。
【図７】本発明の一実施形態に係る第２固定金物を示す３面図である。
【図８】本発明の一実施形態に係る玄関ユニットを示す側面図である。
【図９】本発明の一実施形態に係る玄関ユニットの納まり状態を示す説明図である。
【図１０】本発明の一実施形態に係る玄関庇ユニットの組立工程を示す説明図である。
【発明を実施するための形態】
【００１８】
以下、本発明の一実施形態を図面に基づいて説明する。
なお、以下に説明する構成は本発明を限定するものではなく、本発明の趣旨の範囲内で種々改変することができるものである。
【００１９】
本実施形態は、玄関庇部分をユニット化して出荷することにより、現場での施工工数を削減し、工期短縮を図ることが可能な玄関庇ユニット及び玄関庇ユニット組立て方法、並びに玄関庇ユニットを使用した玄関庇施工方法に関するものである。
【００２０】
図１乃至図１０は、本発明に係る一実施形態を示すものであり、図１は玄関庇ユニットを示す斜視図、図２は玄関庇ユニットの骨格を示す側面図、図３は玄関庇ユニットの骨格を示す上面図、図４は図３のＡ−Ａ線断面図、図５は図３のＢ−Ｂ線断面図及びＣ−Ｃ線断面図、図６は第１固定金物を示す４面図、図７は第２固定金物を示す３面図、図８は玄関ユニットを示す側面図、図９は玄関ユニットの納まり状態を示す説明図、図１０は玄関庇ユニットの組立工程を示す説明図である。
【００２１】
まず、図１乃至図９により、本実施形態に係る玄関庇ユニットＳの構成について説明する。
図１及び図２に示すように、本実施形態に係る玄関庇ユニットＳは、庇本体部１、躯体接続部２を有して構成されている。
【００２２】
本実施形態に係る庇本体部１は、庇骨組１１、庇外装１２、ランマパネル１３、軒天ソケット１４を有して構成されている。
なお、本実施形態は、一例であり、ランマパネル１３、軒天ソケット１４等は必須の構成ではなく、本発明の趣旨を逸脱しない範囲で適宜選択・変更等できるものである。
【００２３】
本実施形態に係る庇骨組１１を図３乃至図５に示す。
図３乃至図５に示すように、庇骨組１１は、複数の各種鋼材で略矩形格子状に組まれて形成されている。
本実施形態に係る庇骨組１１は、庇構造部１１Ａ及び庇外装取付部１１Ｂを有して構成されている。
【００２４】
本実施形態に係る庇構造部１１Ａは、前面横枠１１ａ、縦枠１１ｂ，１１ｂ、後面横枠１１ｃ、縦補強材１１ｄ，１１ｄ、第１横材１１ｅ，１１ｅ、第２横材１１ｆ，１１ｆ、第３横材１１ｇ、鼻隠取付材１１ｈ、を有して構成されている。
【００２５】
前面横枠１１ａ及び縦枠１１ｂ，１１ｂは、角形鋼管であり、後面横枠１１ｃはリップ溝形鋼である。
本実施形態においては、前面横枠１１ａ、縦枠１１ｂ，１１ｂ、後面横枠１１ｃにより略矩形枠体が形成されており、これが基本骨格外形となる。
【００２６】
なお、後面横枠１１ｃ（リップ溝形鋼）の両端の鋼材開口部分には、プレート１１１が溶接されており、基本骨格外形を形成する際には、このプレート１１１外側面と縦枠１１ｂの端部が溶接されるように構成されている。
【００２７】
縦補強材１１ｄ，１１ｄは、角形鋼管であり、前面横枠１１ａと後面横枠１１ｃの略中央部分を架橋するように、縦枠１１ｂ，１１ｂと略平行に配設されている。
なお、縦補強材１１ｄ，１１ｄは、隣接して（中央部に並んで）配設されている。
【００２８】
また、後面横枠１１ｃ（リップ溝形鋼）の略中央の鋼材開口部分には、プレート１１２が溶接されており、縦補強材１１ｄ，１１ｄを配設する際には、このプレート１１２外側面と縦補強材１１ｄ，１１ｄの端部が溶接されるように構成されている。
【００２９】
第１横材１１ｅ，１１ｅ、第２横材１１ｆ，１１ｆ、第３横材１１ｇは、溝形鋼で構成されている。
第１横材１１ｅ，１１ｅは、縦枠１１ｂと縦補強材１１ｄの略中央部を架橋するように、前面横枠１１ａ及び後面横枠１１ｃと略平行に各々配設される。
また、第２横材１１ｆ，１１ｆは、縦枠１１ｂと縦補強材１１ｄの略中央部より若干後面横枠１１ｃ側を架橋するように、前面横枠１１ａ及び後面横枠１１ｃと略平行に各々配設される。
【００３０】
更に、第３横材１１ｇは、縦枠１１ｂ，１１ｂの略中央部より後面横枠１１ｃ側（第２横材１１ｆ，１１ｆよりも若干後面横枠１１ｃ側）を架橋するように、前面横枠１１ａ及び後面横枠１１ｃと略平行に配設される。
【００３１】
鼻隠取付材１１ｈは、断面略Ｌ字形状の鋼材であり、前面横枠１１ａの上面に溶接されている。
この鼻隠取付材１１ｈは、内隅側の一面を前面横枠１１ａの上面に積層した状態で溶接され、このとき、溶接された面から略垂直に屈曲する面が下部方向に垂下するように配設される。
【００３２】
本実施形態に係る庇外装取付部１１Ｂは、２組の第１突出部１１ｉ，１１ｉ、脚部１１ｊ、第２突出部１１ｋ，第３突出部１１ｌ、第４突出部１１ｍを有して構成されている。
これら第１突出部１１ｉ，１１ｉ、脚部１１ｊ、第２突出部１１ｋ，第３突出部１１ｌ、第４突出部１１ｍは、縦枠１１ｂ，１１ｂに各々一組ずつ備えられている。
双方構成は、同様なので、一方のみ説明する。
【００３３】
第１突出部１１ｉ，１１ｉは、断面略Ｌ字形状の鋼材であり、後面横枠１１ｃと第３横材１１ｇとの間に一定間隔をもって、これらと略平行になるように、縦枠１１ｂから外側へ突出するように溶接されている。
このとき、第１突出部１１ｉ，１１ｉは、一面が水平となるとともに、この面から略垂直に屈曲する面が上方へ起立するように溶接される。
【００３４】
脚部１１ｊは、断面略Ｌ字形状の鋼材であり、第１突出部１１ｉ，１１ｉの外側端部を架橋するように配設される。
このとき、脚部１１ｊは、一面が水平となるとともに、この面から略垂直に屈曲する面が上方へ起立するように配設されており、第１突出部１１ｉ，１１ｉの外側端部が略Ｌ字の内隅に突き当たる位置に来るように溶接される。
【００３５】
第２突出部１１ｋは、断面略Ｌ字形状の鋼材であり、縦枠１１ｂの第２横材１１ｆが配設されている位置付近から外側方向へ向けて突出するように溶接されている。
このとき、第２突出部１１ｋは、一面が水平となるとともに、この面から略垂直に屈曲する面が下方へ垂下するように溶接されている。
【００３６】
第３突出部１１ｌは、溝形鋼であり、縦枠１１ｂの前面横枠１１ａが配設されている位置付近から外側方向へ向けて突出するように溶接されている。
このとき、第３突出部１１ｌ（溝形鋼）は、その底面から略垂直に屈曲する相対向する２側面が上方に起立するように配設されるとともに、この起立する２側面のうち一側面が縦枠１１ｂに溶接されている。
【００３７】
第４突出部１１ｍは、溝形鋼であり、第２突出部１１ｋと第３突出部１１ｌとの間に、外方向に向けて突出するように溶接されている。
このとき、第４突出部１１ｍ（溝形鋼）は、その底面から略垂直に屈曲する相対向する２側面が上方に起立するように配設されるとともに、この起立する２側面のうち一側面が縦枠１１ｂに溶接されている。
【００３８】
本実施形態に係る庇外装１２は、図８に示すように、庇外装ユニット１２Ａ、軒天下地１２Ｂ、複数の軒天板１２Ｃを有して構成される。
庇外装ユニット１２Ａは、上部外装１２ａ、側面外装１２ｂと、を有して構成されている。
上部外装１２ａは、庇部分（庇骨組１１の第２突出部１１ｋより前方部分）より若干大きい面積を囲むよう構成された第１フレームＦ１（図１、図８等参照）とその内部に配設された外装板Ｇ１により構成され、庇部分（庇骨組１１の第２突出部１１ｋより前方部分）の上方を被覆する。
【００３９】
側面外装１２ｂは、第２フレームＦ２、側面板Ｇ２，Ｇ２、鼻隠しＧ３を有して構成されている。
第２フレームＦ２は、庇部分（庇骨組１１の第２突出部１１ｋより前方部分）より若干大きい面積を囲むよう構成されており、庇部分（庇骨組１１の第２突出部１１ｋより前方部分）の下方に、第１フレームＦ１と対向して整合するように配設される。
【００４０】
側面板Ｇ２，Ｇ２は、略矩形状の板体であり、第１フレームＦ１と第２フレームＦ２とで形成される間隙の側面部を各々被覆する。
また、鼻隠しＧ３は、略矩形状の板体であり、第１フレームＦ１と第２フレームＦ２とで形成される間隙の前面部を被覆する。
【００４１】
軒天下地１２Ｂは、略矩形平板であり、本実施形態においては、ケイ酸カルシウム板が使用される。
軒天下地１２Ｂは、躯体接続部２を構成する筐体部２１の下部開口を被覆するように、庇外装取付部１１Ｂを構成する脚部１１ｊ，１１ｊに渡ってこれらに取付けられる。
【００４２】
また、軒天板１２Ｃは、長辺が第２フレームＦ２の前方と、庇骨組１１を構成する後面横枠１１ｃとの内径距離とほぼ同一の長さで、短辺が後面横枠１１ｃよりも小さい略長方形状の板体であり、その長辺が、第２フレームＦ２の前方と後面横枠１１ｃとの間に渡るように配設される。
【００４３】
この軒天板１２Ｃは、第２フレームＦ２の前方と後面横枠１１ｃに沿って並列するように複数敷設され、結果、庇骨組１１の下方面を全面に渡り被覆する。
この軒天板１２Ｃの枚数は特に限定されるものではなく、もちろん、１枚の板として構成してもよい。
【００４４】
更に、本実施形態に係るランマパネル１３は、略矩形板体であり、庇骨組１１を構成する第２横材１１ｆ，１１ｆ上部に、これらに渡って配設される。
また、更に、本実施形態に係る軒天ソケット１４は、軒天板１２Ｃに形成されたソケット貫通孔（図示せず）に配設される。
【００４５】
本実施形態に係る躯体接続部２は、筐体部２１及び連結部２２，２２を有して構成されている。
筐体部２１は、４枚の鋼板により断面略矩形の筒状に組立てられた筐体である。
なお、この筐体部２１のうち、前面側及び後面側に相対向して平行に配設される２つの壁を各々前面壁２１ａ及び後面壁２１ｂとし、これらの端部を架橋する、相対向して平行に配設される２つの壁を側壁２１ｃ，２１ｃとする。
【００４６】
連結部２２，２２は、筐体部２１の長手方向両端部に配設されるが、同一の構成であるため、片方のみ説明する。
連結部２２は、第１固定金物２２ａ及び第２固定金物２２ｂと、を有して構成されている。
【００４７】
第１固定金物２２ａを図６に示す。
図６（ａ）は第１固定金物２２ａの上面図、図６（ｂ）及び（ｃ）は表面図及び裏面図、図６（ｄ）は右側面図を示す。
【００４８】
図６に示すように、第１固定金物２２ａは、断面略コ字形状の部材であり、略長方形状の第１底面壁１２２と、この第１底面壁１２２の相対向する長辺から略垂直に同方向に起立する第１固定壁１２３，１２３を有して構成されている。
なお、２個の第１固定壁１２３には、第１ボルト孔１２３ａ，１２３ａが各々並列して形成されている。
【００４９】
次いで、第２固定金物２２ｂを図７に示す。
図７（ａ）は第２固定金物２２ｂの正面図、図７（ｂ）は第２固定金物２２ｂの右側面図、図７（ｃ）は第２固定金物２２ｂの底面図である。
【００５０】
図７に示すように、第２固定金物２２ｂは、略矩形状の第２底面壁１２４と、その一辺から略垂直に起立する第２固定壁１２５と、この第２固定壁１２５が起立する一辺と隣接する一辺から同方向に起立する第２側壁１２６とを有して構成されている。
【００５１】
つまり、第２固定壁１２５と第２側壁１２６は、第２底面壁１２４の一角を囲むように立設している。
第２底面壁１２４には、第２ボルト孔１２４ａが形成されるとともに、第２固定壁１２５には、第３ボルト孔１２５ａ，１２５ａが並列して形成されている。
【００５２】
第１固定金物２２ａ，２２ａは、筐体部２１を構成する後面壁２１ｂの長手方向（水平方向）両端部に固定される。
図示は省略するが、後面壁２１ｂの両端部にはボルト孔が形成されており、このボルト孔と第１固定壁１２３に形成された第１ボルト孔１２３ａ，１２３ａを整合させてボルト締めすることにより、第１固定金物２２ａは、筐体部２１に固定される（両端共）。
【００５３】
また、他方の第１固定壁１２３は、第２固定金物２２ｂを構成する第２固定壁１２５に固定される。
つまり、第１固定壁１２３と第２固定壁１２５は、第１ボルト孔１２３ａ，１２３ａと第３ボルト孔１２５ａ，１２５ａが整合するように合わせられて、これらのボルト孔からボルト締めすることにより固定される。
【００５４】
また、図示は省略するが、後面横枠１１ｃの天面には、ボルト孔が形成されており、このボルト孔と、第２底面壁１２４に形成された第２ボルト孔１２４ａを整合させてボルト締めすることにより第２固定金物２２ｂは、後面横枠１１ｃに固定される。
このように、第１固定金物２２ａ及び第２固定金物２２ｂにより構成される連結部２２を介して、筐体部２１が庇骨組１１に取付けられる。
【００５５】
以上のように、本実施形態に係る玄関庇ユニットＳは、庇本体部１、躯体接続部２を有して構成されている。
そして、庇本体部１は、第１固定金物２２ａ及び第２固定金物２２ｂにより躯体接続部２と連結される。
【００５６】
よって、躯体接続部２を構成する筐体部２１を建物躯体側に取付けることにより、玄関庇ユニットＳは、建物の玄関口に簡易に配設される。
つまり、この筐体部２１を建物躯体の庇配設位置へ差し込んで固定するのみで、簡易に玄関庇を立設することが可能となる。
【００５７】
図９に、本実施形態に係る玄関庇ユニットＳの納まり状態の一例を示す。
図９に示すように、玄関庇ユニットＳの躯体接続部２を構成する筐体部２１が、軒桁Ｋ１と床大梁Ｋ２との間に配設される。
その後、軒桁Ｋ１の前面部分に断熱材Ｋ３となるグラスウールが配設され、軒桁Ｋの前面に外壁材Ｋ４が貼設される。
【００５８】
本実施形態に係る玄関庇ユニットＳは、出荷時に、軒天板１２Ｃを含む庇部分が全てユニット化されて完成しているため、このように建物躯体に取付けるのみで施工は完了する。
このため、施工時間が短縮されるとともに、作業自体が容易になり、作業効率が飛躍的に向上する。
【００５９】
次いで、図１０により、本実施形態に係る玄関庇ユニットＳの組立工程について説明する。
本組立工程においては、組立治具Ｈ，Ｈを使用する。
組立治具Ｈは、角柱形状の鋼材で形成された係止壁Ｈ１と、この係止壁の一端部から略垂直に屈曲して延出する設置壁Ｈ２により、略Ｌ字形状に形成された部材である。
【００６０】
そして、係止壁Ｈ１の、自由端部側には、庇ユニット固定部Ｈ１１が形成されている。
庇ユニット固定部Ｈ１１は、係止壁Ｈ１の内側側面（係止壁Ｈ１と設置壁Ｈ２とで形成される内隅側の側面）から、設置壁Ｈ２が延出する方向へ略垂直に突出する角柱部である。
組立治具Ｈは、２個一組で使用される。
【００６１】
まず、図１０（ａ）に示すように、庇骨組１１を骨組みする。
これは、筐体部２１を構成する後面壁２１ｂの下側両端部を庇ユニット固定部Ｈ１１，Ｈ１１に載置固定し、設置壁Ｈ２が延出する方向に庇骨組１１を組立てることにより行う。
【００６２】
そして、これに庇外装１２を構成する上部外装１２ａ、側面外装１２ｂを配設する。
また、このとき、ランマパネル１３も取付けておく。
【００６３】
次いで、図１０（ａ）に示すように、組立治具Ｈ，ＨをこのままＸ方向に反転させて、図１０（ｂ）の状態とする。
図１０（ｂ）の状態では、玄関庇ユニットＳの裏面側が立上がるため、Ｙ方向から玄関庇ユニットＳの裏面側の施工を行う。
【００６４】
つまり、軒天下地１２Ｂを、躯体接続部２を構成する筐体部２１の下部開口を被覆するように、庇外装取付部１１Ｂを構成する脚部１１ｊ，１１ｊに渡って取付ける。
また、軒天板１２Ｃを、第２フレームＦ２の前方と後面横枠１１ｃに沿って並列するように複数敷設し、庇骨組１１の下方面を全面に渡り被覆する。
【００６５】
次いで、軒天ソケット１４を、軒天板１２Ｃに形成されたソケット貫通孔（図示せず）に配設する。
この状態で、玄関庇ユニットＳの組立ては完了する。
このように各施工が終了した後、Ｘ方向と反対方向に、組立治具Ｈ，Ｈをこのまま反転させて、図１０（ｃ）の状態とする。
【００６６】
そして、この状態で、トラックに積載し、玄関庇ユニットＳは出荷される。
このように、組立治具Ｈ，Ｈを使用すれば、反転させることによって、玄関庇ユニットＳの裏面側を簡易に施工することができる。
よって、生産スピードが向上するとともに、組立作業員の作業負担の軽減を図ることができる。
【００６７】
更に、玄関庇ユニットＳを組立治具Ｈ，Ｈに固定したまま、トラックに積載して搬送することが可能となるため、積載作業が容易になるとともに、輸送中の破損等もまた有効に防止することができる。
そして、建物の施工現場に到着すると、玄関庇ユニットＳを組立治具Ｈ，Ｈから開放し、建物の躯体側に開放した玄関庇ユニットＳを取付ける（例えば、図９に示すように設置する）。
【００６８】
以上のように、本実施形態に係る玄関庇ユニットＳによれば、庇本体部１と躯体接続部２とが連結して構成されている。
よって、躯体接続部２を建物躯体に取付けるのみで、玄関庇ユニットＳを簡易に設置することができる。
また、組立治具Ｈ，Ｈを使用すれば、玄関庇ユニットＳを簡易に施工することができ、生産スピードが向上するとともに、組立作業員の作業負担の軽減を図ることができる。
更に、積載作業が容易になるとともに、輸送中の破損等もまた有効に防止することができる。
【符号の説明】
【００６９】
１  庇本体部
１１  庇骨組
１１Ａ  庇構造部
１１ａ  前面横枠
１１ｂ  縦枠
１１ｃ  後面横枠
１１ｄ  縦補強材
１１ｅ  第１横材
１１ｆ  第２横材
１１ｇ  第３横材
１１ｈ  鼻隠取付材
１１Ｂ  庇外装取付部
１１ｉ  第１突出部
１１ｊ  脚部
１１ｋ  第２突出部
１１ｌ  第３突出部
１１ｍ  第４突出部
１１１，１１２  プレート
１２  庇外装
１２Ａ  庇外装ユニット
１２ａ  上部外装
１２ｂ  側面外装
１２Ｂ  軒天下地
１２Ｃ  軒天板
１３  ランマパネル
１４  軒天ソケット
２  躯体接続部
２１  筐体部
２１ａ  前面壁
２１ｂ  後面壁
２１ｃ  側壁
２２  連結部
２２ａ  第１固定金物
１２２  第１底面壁
１２３  第１固定壁
１２３ａ  第１ボルト孔
２２ｂ  第２固定金物
１２４  第２底面壁
１２４ａ  第２ボルト孔
１２５  第２固定壁
１２５ａ  第３ボルト孔
１２６  第２側壁
Ｆ１  第１フレーム
Ｆ２  第２フレーム
Ｇ１  外装板
Ｇ２  側面板
Ｇ３  鼻隠し
Ｈ  組立治具
Ｈ１  係止壁
Ｈ２  設置壁
Ｈ１１  庇ユニット固定部
Ｋ１  軒桁
Ｋ２  床大梁
Ｋ３  断熱材
Ｋ４  外壁材
Ｓ  玄関庇ユニット
【図１】
2012036607.tif 000003
【図２】
2012036607.tif 000004
【図３】
2012036607.tif 000005
【図４】
2012036607.tif 000006
【図５】
2012036607.tif 000007
【図６】
2012036607.tif 000008
【図７】
2012036607.tif 000009
【図８】
2012036607.tif 000010
【図９】
2012036607.tif 000011
【図１０】
2012036607.tif 000012